(57)【要約】【課題】  野縁受け固定金具に対する野縁受けの固定作業を簡略化して、天井工事の作業性及び効率を向上させることができ、しかも、野縁受けの建付け誤差や振動を吸収して、建付け後における微調整の自由度や、免震性を向上させる。【解決手段】  吊り部材２を介して躯体天井部３に支持される複数の野縁受け４と、ジョイント部材６を介して野縁受け４に支持される複数の野縁７と、野縁７に支持される天井パネル８とを用いて構成される天井構造において、野縁受け４の端部を、野縁受け固定金具５を介して躯体壁部１１に固定するにあたり、野縁受け固定金具５を、野縁受け４の端部が挿し込まれる挿し込み式とし、野縁受け４の建付け誤差及び振動を野縁受け固定金具５で吸収する。【選択図】        図２
2006009495.tif 000002
【特許請求の範囲】
【請求項１】
吊り部材を介して躯体天井部に支持される複数の野縁受けと、ジョイント部材を介して野縁受けに支持される複数の野縁又はＴバーと、野縁又はＴバーに支持される天井パネルとを用いて構成される天井構造において、
前記野縁受けの端部を、野縁受け固定金具を介して躯体壁部に固定するにあたり、野縁受け固定金具を、野縁受けの端部が挿し込まれる挿し込み式とし、野縁受けの建付け誤差や振動を野縁受け固定金具で吸収することを特徴とする天井構造。
【請求項２】
躯体壁部に取り付けられ、野縁受けの端部を支持する野縁受け固定金具であって、
躯体壁部に取付けられる躯体取付部と、野縁受けの端部を支持する野縁受け支持部とを備え、該野縁受け支持部は、野縁受けの端部が挿し込まれる挿込空間を形成し、ここに挿し込まれた野縁受けの端部を、その建付け誤差や振動を吸収しつつ支持することを特徴とする野縁受け固定金具。
【請求項３】
前記野縁受け支持部は、挿込空間を存して対向する一対の板部を有し、その先端部は、野縁受けの挿込方向に位置をずらして形成されることを特徴とする請求項２記載の野縁受け固定金具。
【請求項４】
前記一対の板部のうち、短い方の板部先端には、挿込口を拡げる傾斜挿込ガイドが形成されることを特徴とする請求項３記載の野縁受け固定金具。
【請求項５】
前記一対の板部は、挿込空間に挿し込まれた野縁受けの端部を弾性的に挟持することを特徴とする請求項３又は４記載の野縁受け固定金具。
【請求項６】
一枚の板部材を曲げ加工して形成されることを特徴とする請求項２〜５のいずれかに記載の野縁受け固定金具。
【発明の詳細な説明】
【技術分野】
【０００１】
本発明は、野縁受けを用いて構成される天井構造に関し、更には、野縁受けを用いる天井構造において、野縁受けの端部を躯体壁部に固定する野縁受け固定金具に関する。
【背景技術】
【０００２】
従来の天井構造としては、在来天井やシステム天井が知られている（例えば、特許文献１参照。）。在来天井は、吊り部材（吊りボルト、吊りワイヤ等）を介して躯体天井部に支持される複数の野縁受け（チャンネル）と、ジョイント部材（Ｗクリップ、Ｓクリップ等）を介して野縁受けに支持される複数の野縁（Ｗバー、Ｓバー等）と、野縁にビス止めされる天井パネルとから構成される。また、システム天井は、吊り部材を介して躯体天井部に支持される複数の野縁受けと、ジョイント部材（Ｔバーハンガー等）を介して野縁受けに支持される複数のＴバーと、格子状に組まれたＴバー上に載置される天井パネルとから構成される。
【０００３】
しかしながら、従来の天井構造では、野縁受けの両端が自由端となっているため、天井パネルや野縁（又はＴバー）の荷重で野縁受けが撓む可能性がある。また、吊り部材で野縁受けを吊持する際には、作業者が野縁受けを支える必要があるため、作業性にも問題があった。
【０００４】
そこで、図５に示すように、野縁受けの端部を、野縁受け固定金具を介して躯体壁部（プラスターボード下地等を含む。）に固定することが提案されている。例えば、図５の（Ａ）に示す例では、短尺なチャンネルからなる野縁受け固定金具を、予めビス又は打込ピンを用いて躯体壁部に固定し、ここに野縁受けの端部を溶接している。また、図５の（Ｂ）に示す例では、長尺なチャンネルからなる野縁受け固定金具を、予めビス又は打込ピンを用いて躯体壁部に固定し、ここに野縁受けの端部をビス止めしている。このようにすれば、野縁受けの撓みを防止できるだけでなく、野縁受けと吊り部材を連結する際、野縁受けを支える必要がなくなる。
【０００５】
しかしながら、上記のような野縁受けの端部固定構造によれば、野縁受けと野縁受け固定金具との固定に際し、ビス止めや溶接を行う必要があるため、野縁受けの固定作業に手間がかかり、却って作業性を低下させる可能性がある。また、野縁受けが野縁受け固定金具を介して躯体と一体化されるため、免震性が低下するだけでなく、建付け後の微調整を阻害する惧れがある。例えば、吊りボルト調整による野縁の水平出しが困難になる。
【特許文献１】特開平９−３２１８８号公報
【発明の開示】
【発明が解決しようとする課題】
【０００６】
本発明は、上記の如き問題点を一掃すべく創案されたものであって、野縁受けの端部を、野縁受け固定金具を介して躯体壁部に固定するものでありながら、野縁受け固定金具に対する野縁受けの固定作業を簡略化して、天井工事の作業性及び効率を向上させることができ、しかも、野縁受けの建付け誤差や振動を吸収して、建付け後における微調整の自由度や、免震性を向上させることができる天井構造及び野縁受け固定金具の提供を目的とする。
【課題を解決するための手段】
【０００７】
上記課題を解決するために本発明の天井構造は、吊り部材を介して躯体天井部に支持される複数の野縁受けと、ジョイント部材を介して野縁受けに支持される複数の野縁又はＴバーと、野縁又はＴバーに支持される天井パネルとを用いて構成される天井構造において、前記野縁受けの端部を、野縁受け固定金具を介して躯体壁部に固定するにあたり、野縁受け固定金具を、野縁受けの端部が挿し込まれる挿し込み式とし、野縁受けの建付け誤差や振動を野縁受け固定金具で吸収することを特徴とする。
また、上記課題を解決するために本発明の野縁受け固定金物は、躯体壁部に取り付けられ、野縁受けの端部を支持する野縁受け固定金具であって、躯体壁部に取付けられる躯体取付部と、野縁受けの端部を支持する野縁受け支持部とを備え、該野縁受け支持部は、野縁受けの端部が挿し込まれる挿込空間を形成し、このに挿し込まれた野縁受けの端部を、その建付け誤差や振動を吸収しつつ支持することを特徴とする。
【発明の効果】
【０００８】
本発明は、上記のように構成したことにより、野縁受けの端部を、野縁受け固定金具を介して躯体壁部に固定するものでありながら、野縁受け固定金具に対する野縁受けの固定作業を簡略化して、天井工事の作業性及び効率を向上させることができ、しかも、野縁受けの建付け誤差や振動を吸収して、建付け後における微調整の自由度や、免震性を向上させることができる。
【発明を実施するための最良の形態】
【０００９】
以下、本発明の実施の形態を好適な実施の形態として例示する天井構造及び野縁受け固定金具を図面に基づいて詳細に説明する。尚、本発明は、以下に示す在来天井工法に限定されず、システム天井工法などの他の天井工法にも適用できることは言うまでもない。
【００１０】
図１の（Ａ）は、本発明の実施形態に係る天井部の要部断面図、（Ｂ）は、Ａ矢視図である。この図に示すように、天井部１は、吊り部材２を介して躯体天井部３に支持される複数の野縁受け４と、野縁受け４の端部を支持する野縁受け固定金具５と、ジョイント部材６を介して野縁受け４に支持される複数の野縁７と、野縁７にビス止めされる天井パネル８とを備える。
【００１１】
吊り部材２は、例えば、躯体天井部３から垂下する吊りボルト９と、吊りボルト９の下端部に上下位置調整可能に連結される野縁受けハンガー１０とから構成される。すなわち、野縁受け４は、野縁受けハンガー１０によって支持されると共に、吊りボルト９に対する野縁受けハンガー１０の位置変更によって、上下位置が調整される。
【００１２】
野縁受け４は、チャンネルからなり、天井部１に所定の間隔を存して並列状に割り付けされる。このとき、野縁受け４は、躯体壁部１１に当接しない短めの長さに予め加工され、その両端部が野縁受け固定金具５を介して躯体壁部１１に固定される。
【００１３】
野縁７は、野縁受け４と直交するように、天井部１に所定の間隔を存して並列状に割り付けされる。野縁７としては、幅寸法が異なるＷバーやＳバーがあり、それぞれＷクリップ、Ｓクリップ等のジョイント部材６を介して野縁受け４で支持される。そして、天井部１に割り付けられた野縁７間に天井パネル８を渡し、これをビス止めすることにより、天井部１が完成する。
【００１４】
次に、本発明の要部である野縁受け固定金具５について、図２〜図４を参照して説明する。図２の（Ａ）は、野縁受け固定金具の平面図、（Ｂ）は、野縁受け固定金具の斜視図、図３は、野縁受け固定金具の使用例（ジョイント部材を省略）を示す斜視図、図４の（Ａ）は、野縁受け固定金具の使用例（開口側にジョイント部材を取付）を示す斜視図、（Ｂ）は、野縁受け固定金具の使用例（背面側にジョイント部材を取付）を示す斜視図である。
【００１５】
これらの図に示すように、野縁受け固定金具５は、躯体壁部１１に取付けられる躯体取付部５ａと、野縁受け４の端部を支持する野縁受け支持部５ｂとを有し、全体として平面視Ｌ字状に形成されている。躯体取付部５ａは、複数の取付孔５ｃを有し、ここからねじ込まれるビスや、打ち込まれる打込ピンによって、躯体壁部１１に一体的に固定される。野縁受け支持部５ｂは、野縁受け４の端部が挿し込まれる挿込空間Ｓを形成しており、ここに挿し込まれた野縁受け４の端部を支持する。このとき、挿込空間Ｓに対する野縁受け４の挿込寸法は、厳密に規定されるものではなく、所定の範囲で融通し得るため、野縁受け４の建付け誤差および振動を吸収することができる。
【００１６】
具体的に説明すると、野縁受け支持部５ｂは、挿込空間Ｓを存して左右に対向する一対の板部５ｄ、５ｅを備える。板部５ｄ、５ｅは、挿込空間Ｓに挿し込まれた野縁受け４の縦辺４ａを弾性的に挟持すると共に、野縁受け４の上下横辺４ｂに係合する。これにより、建付け誤差や振動を吸収しつつ、野縁受け４を確実に支持することができる。
【００１７】
板部５ｄ、５ｅの先端部は、野縁受け４の挿込方向に位置をずらして形成されている。このようにすると、長い板部５ｄの内側面がガイド面となり、野縁受け４を容易に挿し込むことが可能になる。また、短い板部５ｅの先端には、傾斜挿込ガイド５ｆを曲げ形成することが好ましい。このような傾斜挿込ガイド５ｆを形成すると、挿込空間Ｓの挿込口が広がり、野縁受け４の挿し込みが更に容易になる。また、本実施形態の野縁受け固定金具５は、一枚の板部材を曲げ加工して形成されている。このようにすると、野縁受け固定金具５の製造コストを削減し、安価な野縁受け固定金具５を提供できる。
【００１８】
叙述の如く構成された本発明の実施の形態において、天井部１の施工を行う際、野縁受け４の端部を、野縁受け固定金具５を介して躯体壁部１１に固定する。野縁受け固定金具５は、野縁受け４等の建付け前に先行して取付けてもよいし、野縁受け４等の建付け後に後付けしてもよい。野縁受け固定金具５に野縁受け４の端部を固定する場合は、野縁受け固定金具５の挿込空間Ｓに野縁受け４の端部を挿し込むだけでよく、溶接やビス止めを行う必要はない。これにより、野縁受け固定金具５に対する野縁受け４の固定作業が簡略化され、天井工事の作業性及び施工期間の短縮など効率を向上させることができる。
【００１９】
しかも、野縁受け固定金具５を挿し込み式とすることにより、野縁受け４の建付け誤差や振動を野縁受け固定金具５で吸収できるという利点がある。これにより、天井部１の免震性を向上させることができるだけでなく、建付け後における微調整の自由度を高めることができる。例えば、建付け後であっても、締め忘れた吊りボルト９の締め付けや、吊りボルト調整による野縁７の水平出しを行うことができる。
【００２０】
また、本実施形態の野縁受け固定金具５は、図４に示すように、ジョイント部材６をオーバーラップ状態で装着できるため、躯体壁部１１の際に野縁７を取り付けられるという利点がある。しかも、図４の（Ａ）、（Ｂ）に示すように、ジョイント部材６を左右いずれからでも装着できるため、施工の自由度を高めて、作業効率を向上させ工期を短縮することができる。
【００２１】
また、野縁受け固定金具５の野縁受け支持部５ｂは、挿込空間Ｓを存して対向する一対の板部５ｄ、５ｅを有し、その先端部は、野縁受け４の挿込方向に位置をずらして形成されるため、長い板部５ｄの内側面をガイド面とし、野縁受け４の端部を容易に挿し込むことができる。しかも、一対の板部５ｄ、５ｅのうち、短い板部５ｅの先端には、挿込口を拡げる傾斜挿込ガイド５ｆが形成されているため、野縁受け４の挿し込みが更に容易になる。
【００２２】
また、一対の板部５ｄ、５ｅは、挿込空間Ｓに挿し込まれた野縁受け４の端部を弾性的に挟持するため、野縁受け４をガタなく支持することができる。また、本実施形態の野縁受け固定金具５は、一枚の板部材を曲げ加工して形成されるため、野縁受け固定金具５の製造コストを削減し、野縁受け固定金具５を安価に提供できるという利点もある。
【図面の簡単な説明】
【００２３】
【図１】（Ａ）は、本発明の実施形態に係る天井部の要部断面図、（Ｂ）は、Ａ矢視図である。
【図２】（Ａ）は、野縁受け固定金具の平面図、（Ｂ）は、野縁受け固定金具の斜視図である。
【図３】野縁受け固定金具の使用例（ジョイント部材を省略）を示す斜視図である。
【図４】（Ａ）は、野縁受け固定金具の使用例（開口側にジョイント部材を取付）を示す斜視図、（Ｂ）は、野縁受け固定金具の使用例（背面側にジョイント部材を取付）を示す斜視図である。
【図５】（Ａ）は、従来の天井構造（在来天井）を示す要部斜視図、（Ｂ）は、従来の天井構造（システム天井）を示す要部斜視図である。
【符号の説明】
【００２４】
１    天井部
２    吊り部材
３    躯体天井部
４    野縁受け
４ａ  縦辺
４ｂ  横辺
５    野縁受け固定金具
５ａ  躯体取付部
５ｂ  野縁受け支持部
５ｃ  取付孔
５ｄ  板部
５ｅ  板部
５ｆ  傾斜挿込ガイド
６    ジョイント部材
７    野縁
８    天井パネル
９    吊りボルト
１０  野縁受けハンガー
１１  躯体壁部
Ｓ    挿込空間
【図１】
2006009495.tif 000003
【図２】
2006009495.tif 000004
【図３】
2006009495.tif 000005
【図４】
2006009495.tif 000006
【図５】
2006009495.tif 000007